(57)【要約】【課題】所定の被写体を含む撮像画像の取得又は利用を制限する撮像装置を提供する。【解決手段】本発明に係る撮像装置は、被写体を撮像して動画を取得する動画取得部と、動画取得部とともに移動し、指向方向が動画取得部の撮像方向と略同一であり、被写体に付された発信器から出力された撮像制限信号を受信する撮像制限信号受信部と、動画取得部が取得した動画に基づいて、撮像制限信号受信部の移動量を算出する移動量算出部と、移動量算出部が算出した撮像制限信号受信部の移動量に対応した、撮像制限信号受信部が受信した撮像制限信号の電界強度の変化に基づいて、撮像制限信号を出力する発信器が付された被写体を特定する被写体特定部と、動画取得部が取得した動画のうちの、ユーザの指示入力を受け付けたときの画像を撮像画像として取得する撮像部と、被写体特定部が特定した被写体を含む撮像画像の取得又は利用を制限する画像利用制限部とを備える。【選択図】図２
2005130463.tif 000002
【特許請求の範囲】
【請求項１】
被写体を撮像する撮像装置であって、
前記被写体を連続的に撮像して動画を取得する動画取得部と、
前記動画取得部とともに移動し、指向方向が前記動画取得部の撮像方向と略同一であり、前記被写体に付された発信器から出力された撮像制限信号を受信する撮像制限信号受信部と、
前記動画取得部が取得した前記動画に基づいて、前記撮像制限信号受信部の移動量を算出する移動量算出部と、
前記移動量算出部が算出した前記撮像制限信号受信部の前記移動量に対応した、前記撮像制限信号受信部が受信した前記撮像制限信号の電界強度の変化に基づいて、前記撮像制限信号を出力する前記発信器が付された前記被写体を特定する被写体特定部と、
前記動画取得部が取得した前記動画のうちの、ユーザの指示入力を受け付けたときの画像を撮像画像として取得する撮像部と、
前記被写体特定部が特定した前記被写体を含む前記撮像画像の取得又は利用を制限する画像利用制限部と
を備える撮像装置。
【請求項２】
前記画像利用制限部は、前記撮像部に対する前記ユーザからの前記指示入力を受け付けないように設定する請求項１に記載の撮像装置。
【請求項３】
前記画像利用制限部は、前記被写体特定部が特定した前記被写体を含む前記撮像画像の送信を不可能に設定する請求項１に記載の撮像装置。
【請求項４】
前記画像利用制限部は、前記被写体特定部が特定した前記被写体を含む前記撮像画像の中の前記被写体の領域を、モザイク処理又はトリミングして保存する請求項１に記載の撮像装置。
【請求項５】
前記動画取得部が取得した前記動画に、前記被写体特定部が特定した前記被写体の領域を示す画像を重畳して表示する表示部をさらに備える請求項１に記載の撮像装置。
【請求項６】
前記被写体特定部が特定した前記被写体を前記撮像部が撮像した場合に、前記被写体が撮像されたことを前記被写体に通知する警告音を発生する警告音発生部をさらに備える請求項１に記載の撮像装置。
【請求項７】
前記発信器は、前記被写体である人物が保持する携帯電話機であり、
前記撮像制限信号受信部は、前記携帯電話機から出力された前記撮像制限信号を受信する請求項１に記載の撮像装置。
【請求項８】
前記被写体特定部が特定した前記被写体を前記撮像部が撮像した場合に、前記ユーザの識別情報であるユーザ識別情報を前記携帯電話機に送信する識別情報送信部をさらに備える請求項７に記載の撮像装置。
【請求項９】
前記撮像部が取得した前記撮像画像をインターネット上の画像サーバに保存する画像保存部と、
前記被写体特定部が特定した前記被写体を含む前記撮像画像をインターネット上で閲覧するための閲覧情報を前記携帯電話機に送信する閲覧情報送信部をさらに備える請求項７に記載の撮像装置。
【請求項１０】
前記発信器は、異なる種類の複数の前記撮像制限信号のうちのいずれかを出力し、
前記画像利用制限部は、前記発信器から出力された前記撮像制限信号の種類に応じて、前記撮像画像の取得又は利用を制限する
請求項１に記載の撮像装置。
【請求項１１】
前記撮像装置を保持する前記ユーザの撮像画像の取得又は利用を制限させる撮像制限信号を他の撮像装置に送信する撮像制限信号送信部と、
前記ユーザを撮像する前記他の撮像装置から、前記他の撮像装置を保持する他のユーザの識別情報であるユーザ識別情報を受信する識別情報受信部と、
前記識別情報受信部が前記ユーザ識別情報を受信した場合に、前記他の撮像装置に対して前記撮像画像の取得又は利用の制限を解除させる制限解除信号を送信する制限解除信号送信部と
をさらに備える請求項１に記載の撮像装置。
【請求項１２】
前記ユーザの前記撮像画像の取得又は利用が制限されない前記他のユーザの前記ユーザ識別情報を格納する識別情報格納部をさらに備え、
前記制限解除信号送信部は、前記識別情報受信部が受信した前記ユーザ識別情報が、前記識別情報格納部に格納されている場合に、前記他の撮像装置に対して前記制限解除信号を送信する請求項１１に記載の撮像装置。
【請求項１３】
前記撮像装置を保持する前記ユーザの撮像画像を取得又は利用することを希望する旨を示す撮像希望信号とともに、前記撮像希望信号を発生する他の撮像装置を保持する他のユーザの識別情報であるユーザ識別情報を前記他の撮像装置から受信する識別情報受信部と、
前記ユーザの前記撮像画像の取得又は利用が制限されない前記他のユーザの前記ユーザ識別情報を格納する識別情報格納部と、
前記識別情報受信部が受信した前記ユーザ識別情報が、前記識別情報格納部に格納されていない場合に、前記ユーザの前記撮像画像の取得又は利用を制限させる撮像制限信号を前記他の撮像装置に対して送信する撮像制限信号送信部と
をさらに備える請求項１に記載の撮像装置。
【請求項１４】
前記発信器は、書籍に付されており、
前記画像利用制限部は、前記被写体特定部が特定した前記被写体である前記書籍を含む前記撮像画像の取得又は利用を制限する請求項１に記載の撮像装置。
【請求項１５】
前記画像利用制限部は、前記書籍に付された前記発信器から出力された前記撮像制限信号の電界強度が所定値より大きい場合に、前記書籍を含む前記撮像画像の取得又は利用を制限する請求項１４に記載の撮像装置。
【請求項１６】
被写体を撮像する撮像装置と、
前記被写体に付され、撮像制限信号を出力する発信器と
を備え、
前記撮像装置は、
前記被写体を連続的に撮像して動画を取得する動画取得部と、
前記発信器が付された前記被写体の前記撮像画像を取得又は利用することを希望する旨を示す撮像希望信号を送信する撮像希望信号送信部と、
前記動画取得部とともに移動し、指向方向が前記動画取得部の撮像方向と略同一であり、前記発信器から出力された撮像制限信号を受信する撮像制限信号受信部と、
前記動画取得部が取得した前記動画に基づいて、前記撮像制限信号受信部の移動量を算出する移動量算出部と、
前記移動量算出部が算出した前記撮像制限信号受信部の前記移動量に対応した、前記撮像制限信号受信部が受信した前記撮像制限信号の電界強度の変化に基づいて、前記撮像制限信号を出力する前記発信器が付された前記被写体を特定する被写体特定部と、
前記動画取得部が取得した前記動画のうちの、ユーザの指示入力を受け付けたときの画像を撮像画像として取得する撮像部と、
前記被写体特定部が特定した前記被写体を含む前記撮像画像の取得又は利用を制限する画像利用制限部と
を有し、
前記発信器は、
前記撮像希望信号を受信した場合に、前記撮像制限信号を前記撮像装置に対して送信する
撮像システム。
【請求項１７】
被写体を撮像する撮像装置と、
前記撮像装置が撮像した撮像画像を出力する出力装置と
を備え、
前記撮像装置は、
前記被写体を連続的に撮像して動画を取得する動画取得部と、
前記動画取得部とともに移動し、指向方向が前記動画取得部の撮像方向と略同一であり、前記被写体に付された発信器から出力された撮像制限信号を受信する撮像制限信号受信部と、
前記動画取得部が取得した前記動画に基づいて、前記撮像制限信号受信部の移動量を算出する移動量算出部と、
前記移動量算出部が算出した前記撮像制限信号受信部の前記移動量に対応した、前記撮像制限信号受信部が受信した前記撮像制限信号の電界強度の変化に基づいて、前記撮像制限信号を出力する前記発信器が付された前記被写体を特定する被写体特定部と、
前記動画取得部が取得した前記動画のうちの、ユーザの指示入力を受け付けたときの画像を撮像画像として取得する撮像部と、
前記被写体特定部が特定した前記被写体と前記撮像画像とを対応づけて格納する画像格納部と
を有し、
前記出力装置は、
前記被写体特定部が特定した前記被写体を含む前記撮像画像の利用を制限する
撮像システム。
【発明の詳細な説明】
【技術分野】
【０００１】
本発明は、撮像装置及び撮像システムに関する。特に本発明は、所定の被写体を含む撮像画像の取得又は利用を制限する撮像装置及び撮像システムに関する。
【背景技術】
【０００２】
近年、カメラ機能付き携帯電話機が急速に普及している。さらに、メガピクセルのカメラ機能付き携帯電話機が実現され、従来のデジタルカメラに劣らないような高画質化が急速に進んでいる。その結果、多くの人がカメラ機能付き携帯電話機を常に持ち歩き、いつでもどこでも写真を撮ることができる環境が実現されている。現時点で先行技術文献の存在を認識していないので、先行技術文献に関する記載を省略する。
【発明の開示】
【発明が解決しようとする課題】
【０００３】
しかしながら、多くの人がいつでもどこでも写真を撮ることができるということは、また、誰もがいつでもどこでも写真を撮られ得る環境にあるということである。そのため、カメラ機能付き携帯電話機が普及するにつれて、プライバシー保護の問題が取りざたされてきている。
【０００４】
そこで本発明は、上記のようなプライバシー問題を解決することができる撮像装置及び撮像システムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の形態によると、被写体を撮像する撮像装置であって、被写体を連続的に撮像して動画を取得する動画取得部と、動画取得部とともに移動し、指向方向が動画取得部の撮像方向と略同一であり、被写体に付された発信器から出力された撮像制限信号を受信する撮像制限信号受信部と、動画取得部が取得した動画に基づいて、撮像制限信号受信部の移動量を算出する移動量算出部と、移動量算出部が算出した撮像制限信号受信部の移動量に対応した、撮像制限信号受信部が受信した撮像制限信号の電界強度の変化に基づいて、撮像制限信号を出力する発信器が付された被写体を特定する被写体特定部と、動画取得部が取得した動画のうちの、ユーザの指示入力を受け付けたときの画像を撮像画像として取得する撮像部と、被写体特定部が特定した被写体を含む撮像画像の取得又は利用を制限する画像利用制限部とを備える。
【０００６】
画像利用制限部は、撮像部に対するユーザからの指示入力を受け付けないように設定してもよい。画像利用制限部は、被写体特定部が特定した被写体を含む撮像画像の送信を不可能に設定してもよい。画像利用制限部は、被写体特定部が特定した被写体を含む撮像画像の中の被写体の領域を、モザイク処理又はトリミングして保存してもよい。
【０００７】
動画取得部が取得した動画に、被写体特定部が特定した被写体の領域を示す画像を重畳して表示する表示部をさらに備えてもよい。被写体特定部が特定した被写体を撮像部が撮像した場合に、被写体が撮像されたことを被写体に通知する警告音を発生する警告音発生部をさらに備えてもよい。
【０００８】
発信器は、被写体である人物が保持する携帯電話機であり、撮像制限信号受信部は、携帯電話機から出力された撮像制限信号を受信してもよい。被写体特定部が特定した被写体を撮像部が撮像した場合に、ユーザの識別情報であるユーザ識別情報を携帯電話機に送信する識別情報送信部をさらに備えてもよい。撮像部が取得した撮像画像をインターネット上の画像サーバに保存する画像保存部と、被写体特定部が特定した被写体を含む撮像画像をインターネット上で閲覧するための閲覧情報を携帯電話機に送信する閲覧情報送信部をさらに備えてもよい。
【０００９】
撮像装置を保持するユーザの撮像画像の取得又は利用を制限させる撮像制限信号を他の撮像装置に送信する撮像制限信号送信部と、ユーザを撮像する他の撮像装置から、他の撮像装置を保持する他のユーザの識別情報であるユーザ識別情報を受信する識別情報受信部と、識別情報受信部がユーザ識別情報を受信した場合に、他の撮像装置に対して撮像画像の取得又は利用の制限を解除させる制限解除信号を送信する制限解除信号送信部とをさらに備えてもよい。ユーザの撮像画像の取得又は利用が制限されない他のユーザのユーザ識別情報を格納する識別情報格納部をさらに備え、制限解除信号送信部は、識別情報受信部が受信したユーザ識別情報が、識別情報格納部に格納されている場合に、他の撮像装置に対して制限解除信号を送信してもよい。
【００１０】
撮像装置を保持するユーザの撮像画像を取得又は利用することを希望する旨を示す撮像希望信号とともに、撮像希望信号を発生する他の撮像装置を保持する他のユーザの識別情報であるユーザ識別情報を他の撮像装置から受信する識別情報受信部と、ユーザの撮像画像の取得又は利用が制限されない他のユーザのユーザ識別情報を格納する識別情報格納部と、識別情報受信部が受信したユーザ識別情報が、識別情報格納部に格納されていない場合に、ユーザの撮像画像の取得又は利用を制限させる撮像制限信号を他の撮像装置に対して送信する撮像制限信号送信部とをさらに備えてもよい。
【００１１】
発信器は、書籍に付されており、画像利用制限部は、被写体特定部が特定した被写体である書籍を含む撮像画像の取得又は利用を制限してもよい。画像利用制限部は、書籍に付された発信器から出力された撮像制限信号の電界強度が所定値より大きい場合に、書籍を含む撮像画像の取得又は利用を制限してもよい。
【００１２】
なお上記の発明の概要は、本発明の必要な特徴の全てを列挙したものではなく、これらの特徴群のサブコンビネーションもまた発明となりうる。
【発明の効果】
【００１３】
本発明によれば、所定の被写体を含む撮像画像の取得又は利用を制限する撮像装置を提供できる。
【発明を実施するための最良の形態】
【００１４】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１５】
図１は、本発明の一実施形態に係る携帯電話機１００の利用環境の一例を示す。携帯電話機１００及び１０６は、カメラ機能付き携帯電話機であり、本発明の撮像装置の一例である。また、携帯電話機１００及び１０６は、本発明の撮像システムの一例である。
【００１６】
携帯電話機１００は、ユーザ１０２の指示に基づいて被写体１０４である人物の写真を撮る。このとき、携帯電話機１００は、ユーザ１０２の指示に基づいて被写体１０４を撮像するとともに、当該被写体１０４が保持する携帯電話機１０６から発信された撮像制限信号を受信する。撮像制限信号は、電波による無線信号の他、光信号、音信号等であってもよい。なお、携帯電話機１００は、ユーザ１０２の指示に基づいて被写体１０４を撮像する前後においても、連続的に撮像して動画を取得しており、当該動画に基づいて、携帯電話機１０６が発信する撮像制限信号に対する携帯電話機１００の動きを算出する。また、携帯電話機１００は、ユーザ１０２の指示に基づいて被写体１０４を撮像する前後において、携帯電話機１０６から発信される撮像制限信号の電界強度の変化を取得する。そして、携帯電話機１００は、携帯電話機１００の動きに対する、撮像制限信号の電界強度の変化に基づいて、撮像制限信号を発信する携帯電話機１０６を保持する被写体１０４を特定する。そして、携帯電話機１００は、特定した被写体１０４を撮像できないように設定したり、特定した被写体１０４が写り込んだ写真を配布できないように設定したり、特定した被写体１０４がトリミングされた写真のみを保存したりして、特定した被写体１０４の写真の取得又は利用を制限する。
【００１７】
また、携帯電話機１０６は、携帯電話機１０６のユーザによる設定に基づいて、異なる種類の複数の撮像制限信号のうちのいずれかを出力してもよい。例えば、携帯電話機１００による撮像を禁止する撮像制限信号、撮像画像の中の被写体１０４の領域をモザイク処理又はトリミング処理させる撮像制限信号、撮像画像の送信を禁止する撮像制限信号等のうちのいずれかをユーザの希望により選択させて出力する。また、携帯電話機１０６は、出力する撮像制限信号の種類に応じて、携帯電話機１００による画像処理の内容を制限してもよい。例えば、セットアップを禁止又は低減させる撮像制限信号、顔の補正を禁止又は低減させる撮像制限信号、シャープネスを禁止又は低減させる撮像制限信号等のうちのいずれかをユーザの希望により選択させて出力する。そして、携帯電話機１００は、携帯電話機１０６から出力された撮像制限信号の種類に応じて、撮像画像の取得又は利用を制限してもよい。なお、異なる種類の複数の撮像制限信号は、信号強度が異なる同一波形の信号であってもよい。
【００１８】
また、携帯電話機１０６は、携帯電話機１０６のユーザと携帯電話機１００のユーザ１０２との親密度に応じて設定された種類の異なる複数の撮像制限信号を出力してもよい。そして、携帯電話機１００は、種類の異なる複数の撮像制限信号のそれぞれに対応づけて、撮像画像の取得又は利用の制限の種類を格納し、携帯電話機１００は、携帯電話機１０６から出力された撮像制限信号の種類に応じて、撮像画像の取得又は利用を制限してもよい。例えば、非常に親しい相手に設定された撮像制限信号を受信した場合には当該相手の撮像画像を高解像度で撮像でき、電話番号又はメールアドレス等の何らかの情報を交換した相手に設定された撮像制限信号を受信した場合には当該相手の撮像画像を低解像度又は中解像度で撮像でき、全く知らない相手の携帯電話機１０６からの撮像制限信号を受信した場合には当該相手の撮像画像の取得又は利用が禁止される。
【００１９】
本実施形態に係る携帯電話機１００によれば、写真を撮られたくない人物が保持する携帯電話機１０６からの撮像制限信号を受信して、その人物の写真の取得又は利用を制限することができるので、携帯電話機１０６を保持する人物のプライバシーの保護を容易に実現することができる。
【００２０】
図２は、本実施形態に係る携帯電話機１００の構成の一例を示す。携帯電話機１００は、撮像制限信号受信部２００、動画取得部２０２、移動量算出部２０４、被写体特定部２０６、撮像部２０８、表示部２１０、警告音発生部２１４、識別情報送信部２１６、画像保存部２１８、閲覧情報送信部２２０、画像利用制限部２２２、画像格納部２２４、及び画像送信部２２６、及び撮像希望信号送信部２２８を備える。なお、携帯電話機１０６は、携帯電話機１００と同一の構成及び機能を有してもよい。
【００２１】
動画取得部２０２は、被写体１０４を連続的に撮像して動画を取得する。また、撮像制限信号受信部２００は、被写体１０４である人物が保持する携帯電話機１０６から出力された撮像制限信号を受信する。撮像制限信号受信部２００は、動画取得部２０２との間隔が固定されており、ユーザ１０２の動作に基づいて動画取得部２０２とともに平行移動及び回転移動する。また、撮像制限信号受信部２００は、指向方向が動画取得部２０２の撮像方向と略同一であることが好ましい。また、撮像制限信号受信部２００は、携帯電話機１０６が異なる種類の複数の撮像制限信号を出力し得る場合には、携帯電話機１０６から出力された撮像制限信号の種類を特定し、画像利用制限部２２２に通知する。
【００２２】
撮像希望信号送信部２２８は、携帯電話機１０６を所有する被写体１０４の撮像画像を取得又は利用することを希望する旨を示す撮像希望信号を送信してもよい。この場合、携帯電話機１０６は、撮像希望信号送信部２２８から送信された撮像希望信号を受信すると、一定期間撮像制限信号を出力する。そして、撮像制限信号受信部２００は、携帯電話機１０６が撮像希望信号に対応して出力した撮像制限信号を受信する。なお、撮像希望信号送信部２２８は、携帯電話機１００に電源が投入されている場合に常に撮像希望信号を送信してもよいし、レリーズボタンが押下されること等によってユーザから撮像が指示された場合に撮像希望信号を送信してもよい。
【００２３】
移動量算出部２０４は、動画取得部２０２が取得した動画に基づいて、撮像制限信号受信部２００の移動量を算出する。そして、被写体特定部２０６は、移動量算出部２０４が算出した撮像制限信号受信部２００の移動量に対応した、撮像制限信号受信部２００が受信した撮像制限信号の電界強度の変化に基づいて、撮像制限信号を出力する携帯電話機１０６を所有する被写体１０４を特定する。また、撮像部２０８は、例えばレリーズボタンがユーザ１０２によって押下されることにより、撮像の指示入力を受け付ける。そして、撮像部２０８は、動画取得部２０２が取得した動画のうちの、ユーザ１０２の指示入力を受け付けたときの画像を撮像画像として取得する。
【００２４】
また、画像利用制限部２２２は、被写体特定部２０６が特定した被写体１０４を含む撮像画像の取得又は利用を制限する。具体的には、画像利用制限部２２２は、撮像部２０８に対するユーザ１０２からの指示入力を受け付けないよう、例えばレリーズボタンを押下することができないように設定してもよい。また、画像利用制限部２２２は、被写体特定部２０６が特定した被写体１０４を含む撮像画像の送信を不可能に設定し、画像送信部２２６が他の携帯電話機１０６やインターネット等の通信網に送信することを禁止してもよい。また、画像利用制限部２２２は、被写体特定部２０６が特定した被写体１０４を含む撮像画像を画像格納部２２４が格納することを禁止してもよい。また、画像利用制限部２２２は、被写体特定部２０６が特定した被写体１０４を含む撮像画像の中の被写体１０４の領域を、モザイク処理又はトリミングして、画像格納部２２４に保存してもよい。また、画像利用制限部２２２は、携帯電話機１０６が異なる種類の複数の撮像制限信号を出力し得る場合には、撮像制限信号受信部２００から通知された撮像制限信号の種類に応じて、上述のように撮像画像の取得又は利用を制限する。
【００２５】
なお、撮像部２０８が撮像画像を取得した後に、撮像制限信号受信部２００が撮像制限信号を受信した場合であっても、上述のように、被写体特定部２０６は、撮像制限信号を出力する携帯電話機１０６を所有する被写体１０４を特定する。そして、画像利用制限部２２２は、画像格納部２２４に格納されている撮像画像に、被写体特定部２０６が特定した被写体１０４が含まれている場合には、画像利用制限部２２２は、画像格納部２２４に格納されている撮像画像の利用を制限する。具体的には、画像利用制限部２２２は、画像格納部２２４に格納されている撮像画像を削除してもよい。また、画像利用制限部２２２は、画像格納部２２４に格納されている撮像画像の送信を不可能に設定し、画像送信部２２６が他の携帯電話機１０６やインターネット等の通信網に送信することを禁止してもよい。また、画像利用制限部２２２は、画像格納部２２４に格納されている撮像画像の中の被写体１０４の領域を、モザイク処理又はトリミングして、画像格納部２２４に上書き保存してもよい。
【００２６】
以上のように、動画取得部２０２が取得した動画に基づいて撮像制限信号受信部２００の移動量を算出することによって、ユーザ１０２が無作為に携帯電話機１００を動かした場合であっても、正確に撮像制限信号受信部２００の移動量を算出することができるので、被写体特定部２０６は、撮像制限信号受信部２００を発信する被写体１０４を正確に特定できる。そして、特定した被写体１０４が含まれる撮像画像の取得又は利用を制限することによって、被写体１０４である人物のプライバシーを保護することができる。
【００２７】
また、表示部２１０は、動画取得部２０２が取得した動画に、被写体特定部２０６が特定した被写体１０４の領域を示す画像を重畳して表示する。これにより、ユーザ１０２はレリーズボタンを押下して撮像する以前に、画角の範囲内に撮像されることを拒否している人物が存在することを認識することができ、撮像を中止することができる。
【００２８】
また、警告音発生部２１４は、被写体特定部２０６が特定した被写体１０４を撮像部２０８が撮像した場合に、被写体１０４が撮像されたことを被写体１０４に通知する警告音を発生する。これにより、撮像されることを拒否している人物に、その人物が撮像されたことを通知することができるので、その人物が知らないうちに撮像されることを防ぐことができる。
【００２９】
また、識別情報送信部２１６は、被写体特定部２０６が特定した被写体１０４を撮像部２０８が撮像した場合に、ユーザ１０２の識別情報であるユーザ識別情報を、被写体特定部２０６が特定した被写体１０４である人物が保持する携帯電話機１０６に送信する。ユーザ識別情報は、例えばユーザ１０２が所有する携帯電話機１００の電話番号又はメールアドレスである。これにより、撮像されることを拒否している人物に、その人物を撮像さした撮像者を通知することができるので、その人物が知らないうちに撮像されることを防ぐことができ、また撮像者に連絡することができる。
【００３０】
また、画像保存部２１８は、撮像部２０８が取得した撮像画像をインターネット等の通信網上の画像保存サーバに送信して保存する。そして、画像保存部２１８は、画像保存サーバに接続して、保存されている撮像画像を閲覧するための閲覧情報を取得する。閲覧情報は、例えば画像保存サーバのアドレス、ログインＩＤ、ログインパスワード等である。そして、閲覧情報送信部２２０は、被写体特定部２０６が特定した被写体１０４を含む撮像画像をインターネット等の通信網上で閲覧するための閲覧情報を、被写体特定部２０６が特定した被写体１０４である人物が保持する携帯電話機１０６に送信する。これにより、撮像されることを拒否している人物が撮像された場合に、その人物は、受信した閲覧情報を用いて撮像画像を閲覧することができるので、その人物が知らない撮像画像が流布されることを防ぐことができる。
【００３１】
図３は、本実施形態に係る撮像制限信号受信部２００の移動量と撮像制限信号受信部２００が受信する電界強度との関係の一例を示す。横軸は、動画取得部２０２が取得した動画に基づいて、移動量算出部２０４が算出した撮像制限信号受信部２００の移動量であり、縦軸は、撮像制限信号受信部２００が受信した複数の撮像制限信号３００ａ、３００ｂ、及び３００ｃの電界強度である。撮像制限信号３００ａ、３００ｂ、及び３００ｃのそれぞれは、複数の被写体１０４である人物のそれぞれが保持する複数の携帯電話機１０６のそれぞれから出力された撮像制限信号である。図３に示すように、撮像制限信号受信部２００の移動に伴って、撮像制限信号受信部２００が受信する撮像制限信号３００ａ、３００ｂ、及び３００ｃからの電界強度は変化する。そのため、動画取得部２０２が連続的に撮像して動画を取得して、同時に撮像制限信号受信部２００が連続して撮像制限信号３００ａ、３００ｂ、及び３００ｃを受信することによって、複数の被写体１０４のそれぞれに付された複数の携帯電話機１０６が近接して存在する場合であっても、被写体特定部２０６は、複数の携帯電話機１０６のそれぞれから出力される撮像制限信号３００ａ、３００ｂ、及び３００ｃの電界強度の変化に基づいて、複数の被写体１０４のそれぞれを正確に特定できる。
【００３２】
図４は、本実施形態に係る表示部２１０の表示画面の一例を示す。表示部２１０は、例えば液晶モニタ等のＬＣＤファインダーであり、動画取得部２０２が取得した動画４００に、被写体特定部２０６が特定した被写体１０４ｂの領域を示す拒否画像４０２を重畳して表示する。例えば、被写体１０４ｂが保持する携帯電話機１０６から撮像制限信号が出力されており、被写体１０４ａ及び１０４ｃは撮像されることを拒否していない場合には、表示部２１０は、図４に示すように、被写体１０４ｂの領域を示す画像として、被写体１０４ｂ上に「×」を表示する。このように、撮像されることを拒否している被写体１０４ｂが画角の範囲内に存在することをＬＣＤファインダーに表示することによって、ユーザ１０２がその被写体１０４ｂが写り込まないように移動してから撮像を実行することができる。
【００３３】
図５は、本実施形態に係る画像利用制限部２２２により利用制限がなされた撮像画像５００の一例を示す。図５（ａ）は、画像利用制限部２２２により、被写体特定部２０６が特定した被写体１０４を含む撮像画像５００の中の被写体１０４の領域がトリミングされたものを示す。図５（ｂ）は、画像利用制限部２２２により、被写体特定部２０６が特定した被写体１０４を含む撮像画像５００の中の被写体１０４の領域がモザイク処理されたものを示す。
【００３４】
画像利用制限部２２２は、撮像部２０８により撮像された撮像画像５００において、被写体特定部２０６が特定した被写体１０４の近傍の携帯電話機１００からの距離が略同一である範囲の領域を、撮像されることを拒否している被写体１０４の領域と判断してトリミング又はモザイク処理する。例えば、被写体１０４ｂが保持する携帯電話機１０６から撮像制限信号が出力されており、被写体１０４ａ及び１０４ｃは撮像されることを拒否していない場合には、画像利用制限部２２２は、図５（ａ）及び（ｂ）に示すように、被写体１０４ｂの領域をトリミング又はモザイク処理する。これより、撮像されることを拒否している被写体１０４ｂのプライバシーを保護することができる。
【００３５】
図６は、本実施形態に係る携帯電話機１００の構成の一例を示す。携帯電話機１００は、図１に示した構成要素に加え、識別情報受信部６００、撮像制限信号送信部６０２、制限解除信号送信部６０４、及び識別情報格納部６０６をさらに備える。即ち、携帯電話機１００は、図１から図５において説明したように撮像制限信号を他の携帯電話機１０６から受信して撮像画像の取得又は利用の制限を行うとともに、他の携帯電話機１０６に対して撮像制限信号を発信してもよい。
【００３６】
撮像制限信号送信部６０２は、携帯電話機１００を保持するユーザ１０２の撮像画像の取得又は利用を制限させる撮像制限信号を他の携帯電話機１０６に送信する。そして、識別情報受信部６００は、ユーザ１０２を撮像する他の携帯電話機１０６から、他の携帯電話機１０６を保持する他のユーザの識別情報であるユーザ識別情報を受信する。ユーザ識別情報は、例えばユーザ識別情報で識別されるユーザが保持する携帯電話機１０６の電話番号又はメールアドレスである。そして、制限解除信号送信部６０４は、識別情報受信部６００がユーザ識別情報を受信した場合に、当該ユーザ識別情報で識別情報されるユーザが保持する携帯電話機１０６に対して、ユーザ１０２を被写体として含む撮像画像の取得又は利用の制限を解除させる制限解除信号を送信する。これにより、自分の素性を明示した人物に対してのみ撮像を許可し、自分の素性を明示しない人物に対して撮像を制限することができる。
【００３７】
また、識別情報格納部６０６は、ユーザ１０２を被写体として含む撮像画像の取得又は利用が制限されない他のユーザのユーザ識別情報を格納しており、制限解除信号送信部６０４は、識別情報受信部６００が受信したユーザ識別情報が、識別情報格納部６０６に格納されている場合に、他の携帯電話機１０６に対して制限解除信号を送信してもよい。識別情報格納部６０６は、例えば携帯電話機１００が有する電話帳、着信履歴、又は発信履歴を格納しており、制限解除信号送信部６０４は、識別情報受信部６００がユーザ識別情報として受信した電話番号又はメールアドレスが、識別情報格納部６０６に格納されている電話帳、着信履歴、又は発信履歴に登録されている場合にのみ、他の携帯電話機１０６に対して制限解除信号を送信してもよい。これにより、電話帳、着信履歴、又は発信履歴に登録されている人物、即ちユーザ１０２が知っている人物に対してのみ撮像を許可することができ、ユーザ１０２が知らない人物に対して撮像を制限することができる。
【００３８】
また他の例においては、まず、識別情報受信部６００は、携帯電話機１００を保持するユーザ１０２を被写体として含む撮像画像を取得又は利用することを希望する旨を示す撮像希望信号とともに、撮像希望信号を発生する他の携帯電話機１０６を保持する他のユーザのユーザ識別情報を他の携帯電話機１０６から受信する。そして、撮像制限信号送信部６０２は、識別情報受信部６００が受信したユーザ識別情報が、識別情報格納部６０６に格納されていない場合に、ユーザ１０２を被写体として含む撮像画像の取得又は利用を制限させる撮像制限信号を他の携帯電話機１０６に対して送信する。即ち、本例において、携帯電話機１０６は、ユーザによって撮像の指示入力がされると、自動的に撮像希望信号を出力する。そして、撮像制限信号送信部６０２は、通常撮像制限信号を出力しておらず、識別情報受信部６００が撮像希望信号を受信した場合にのみ撮像制限信号を送信する。そのため、無駄な電力消費を低減させることができる。
【００３９】
本実施形態においては、携帯電話機１００は、デフォルトの状態では被写体１０４の撮像画像を取得又は利用することができ、撮像制限信号を受信した場合に撮像制限信号を出力した携帯電話機１０６を所有する被写体１０４の撮像画像の取得又は利用が制限されるが、他の例においては、携帯電話機１００は、デフォルトの状態では被写体１０４の撮像画像の取得又は利用が制限され、撮像許可信号を受信した場合に撮像許可信号を出力した携帯電話機１０６を所有する被写体１０４の撮像画像を取得又は利用することができてもよい。
【００４０】
図７は、本実施形態に係る携帯電話機１００の他の利用環境の一例を示す。図１から図６において説明した携帯電話機１００は、携帯電話機１０６から撮像制限信号を受信して携帯電話機１０６を保持する被写体１０４を含む撮像画像の取得又は利用を制限したが、携帯電話機１００は、本発明の被写体の一例である書籍７００に付された発信器７０２から撮像制限信号を受信して書籍７００を含む撮像画像の取得又は利用を制限してもよい。発信器７０２は、例えば、外部から供給される電波を電力源として動作する無線タグである。なお、携帯電話機１００は、以下に説明する部分を除き、図１から図６で説明した携帯電話機１００と同一の構成及び機能を有するので、説明を一部省略する。
【００４１】
動画取得部２０２は、書籍７００を連続的に撮像して動画を取得する。また、撮像制限信号受信部２００は、書籍７００に付された発信器７０２から出力された撮像制限信号を受信する。そして、移動量算出部２０４は、動画取得部２０２が取得した動画に基づいて、撮像制限信号受信部２００の移動量を算出する。そして、被写体特定部２０６は、移動量算出部２０４が算出した撮像制限信号受信部２００の移動量に対応した、撮像制限信号受信部２００が受信した撮像制限信号の電界強度の変化に基づいて、撮像制限信号を出力する発信器７０２が付された書籍７００を特定する。また、撮像部２０８は、動画取得部２０２が取得した動画のうちの、ユーザ１０２の指示入力を受け付けたときの画像を撮像画像として取得する。そして、画像利用制限部２２２は、被写体特定部２０６が特定した被写体である書籍７００を含む撮像画像の取得又は利用を制限する。
【００４２】
画像利用制限部２２２は、書籍７００に付された発信器７０２から出力された撮像制限信号の電界強度が所定値より大きい場合に、書籍７００を含む撮像画像の取得又は利用を制限してもよい。これにより、携帯電話機１００が書籍７００に接近してマクロ撮影をしている場合、即ち書籍７００の内容が読みとれるような撮像画像の取得又は利用のみを制限することができる。なお、本例においては、書籍７００に発信器７０２を付して書籍７００の撮像画像の取得又は利用を制限する場合を説明したが、美術館等の美術品に発信器を付して美術品の撮像画像の取得又は利用を制限してもよい。
【００４３】
図８は、本実施形態に係る携帯電話機１００の他の利用環境の一例を示す。図１から図６において説明した携帯電話機１００は、携帯電話機１０６から撮像制限信号を受信して携帯電話機１０６を保持する被写体１０４を含む撮像画像の取得又は利用を制限したが、携帯電話機１００は、携帯電話機１０６を保持する被写体１０４を特定し、被写体１０４と撮像画像と対応づけて格納しておき、撮像画像を出力する出力装置８００が撮像画像と対応づけて格納されている被写体１０４を参照して撮像画像の利用を制限してもよい。なお、携帯電話機１００は、以下に説明する部分を除き、図１から図６で説明した携帯電話機１００と同一の構成及び機能を有するので、説明を一部省略する。
【００４４】
動画取得部２０２は、被写体１０４を連続的に撮像して動画を取得する。また、撮像制限信号受信部２００は、被写体１０４が所有する携帯電話機１０６から出力された撮像制限信号を受信する。そして、移動量算出部２０４は、動画取得部２０２が取得した動画に基づいて、撮像制限信号受信部２００の移動量を算出する。そして、被写体特定部２０６は、移動量算出部２０４が算出した撮像制限信号受信部２００の移動量に対応した、撮像制限信号受信部２００が受信した撮像制限信号の電界強度の変化に基づいて、撮像制限信号を出力する携帯電話機１０６を所有する被写体１０４を特定する。また、撮像部２０８は、動画取得部２０２が取得した動画のうちの、ユーザ１０２の指示入力を受け付けたときの画像を撮像画像として取得する。そして、画像格納部２２４は、被写体特定部２０６が特定した被写体１０４と撮像画像とを対応づけて格納する。
【００４５】
出力装置８００は、パーソナルコンピュータ、テレビ受像器等の表示装置、プリンタ、ラボ装置等の印刷装置である。出力装置８００は、携帯電話機１００が撮像した撮像画像を、通信ケーブル、メモリ、又は通信網を介して携帯電話機１００が撮像した撮像画像を取得して出力する。そして、出力装置８００は、携帯電話機１００において被写体特定部２０６が特定した被写体１０４を含む撮像画像の利用を制限する。具体的には、出力装置８００は、被写体特定部２０６が特定した被写体１０４に対応づけられた撮像画像の受信を禁止してもよい。また、出力装置８００は、被写体特定部２０６が特定した被写体１０４に対応づけられた撮像画像の格納することを禁止してもよい。また、出力装置８００は、被写体特定部２０６が特定した被写体１０４に対応づけられた撮像画像の中の被写体１０４の領域を、モザイク処理又はトリミングして、表示又は印刷してもよい。このように、携帯電話機１００の外部の出力装置８００に撮像画像の利用の制限を制御させることにより、携帯電話機１００の機能を軽減し、携帯電話機１００による撮像の高速化、また携帯電話機１００の軽量化に寄与することができる。
【００４６】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００４７】
【図１】携帯電話機１００の利用環境の一例を示す図である。
【図２】携帯電話機１００の構成の一例を示す図である。
【図３】移動量と電界強度との関係の一例を示す。
【図４】表示部２１０の表示画面の一例を示す図である。
【図５】利用制限がなされた撮像画像の一例を示す図である。
【図６】携帯電話機１００の構成の一例を示す図である。
【図７】携帯電話機１００の他の利用環境の一例を示す図である。
【図８】携帯電話機１００の他の利用環境の一例を示す図である。
【符号の説明】
【００４８】
１００  携帯電話機
１０２  ユーザ
１０４  被写体
１０６  携帯電話機
２００  撮像制限信号受信部
２０２  動画取得部
２０４  移動量算出部
２０６  被写体特定部
２０８  撮像部
２１０  表示部
２１４  警告音発生部
２１６  識別情報送信部
２１８  画像保存部
２２０  閲覧情報送信部
２２２  画像利用制限部
２２４  画像格納部
２２６  画像送信部
２２８  撮像希望信号送信部
３００  撮像制限信号
４００  動画
４０２  拒否画像
５００  撮像画像
６００  識別情報受信部
６０２  撮像制限信号送信部
６０４  制限解除信号送信部
６０６  識別情報格納部
７００  書籍
７０２  発信器
８００  出力装置
【図１】
2005130463.tif 000003
【図２】
2005130463.tif 000004
【図３】
2005130463.tif 000005
【図４】
2005130463.tif 000006
【図５】
2005130463.tif 000007
【図６】
2005130463.tif 000008
【図７】
2005130463.tif 000009
【図８】
2005130463.tif 000010